(57)【要約】      （修正有）【課題】より厚い及び（または）より大きい切断面積を有する被加工材に対して１度のブランキング操作でバリ、凹み角度、ダレの問題がない、改善されたせん断面長さを有する打ち抜き製品を製造できる、ファインブランキング装置またはシステムの提供。【解決手段】溝構造を備えたファインブランキング装置は、パンチ１０と、パンチを内部に進入させることができる第１ダイキャビティ１４ａを備えた母型モジュール１４と、パンチを内部に進入させることができる第２ダイキャビティ１２ａを備えた板押さえモジュール１２とを含み、母型モジュールまたは／及び板押さえモジュール上に１つ以上の溝構造７が、母型モジュールの被加工材８接触側に第１ダイキャビティを囲んで、または／及び、板押さえモジュールの被加工材接触側に第２ダイキャビティを囲んで形成される。【選択図】図１
2015089571.tif 000002
【特許請求の範囲】
【請求項１】
被加工材をブランキングするためのファインブランキング装置であって、パンチと、第１ダイキャビティを備えた母型モジュールと、第２ダイキャビティを備えた板押さえモジュールを含み、前記第１ダイキャビティと前記第２ダイキャビティのいずれも前記パンチをその内部に進入させることができ、前記母型モジュール及び（または）前記板押さえモジュール上に溝構造が形成され、そのうち、前記溝構造が、前記母型モジュールの被加工材接触側に、前記第１ダイキャビティを囲んで形成される、及び（または）前記溝構造が、前記板押さえモジュールの被加工材接触側に、前記第２ダイキャビティを囲んで形成されることを特徴とする、ファインブランキング装置。
【請求項２】
被加工材をブランキングするためのファインブランキング装置であって、
パンチと、
前記パンチをその内部に進入させることができる第１ダイキャビティを備えた母型モジュールと、
前記パンチをその内部に進入させることができる第２ダイキャビティを備えた板押さえモジュールと、
を含み、そのうち、前記母型モジュールまたは（及び）前記板押さえモジュール上に１つ以上の溝構造が（それぞれ）形成され、そのうち前記溝構造が、前記母型モジュールの被加工材接触側に、前記第１ダイキャビティを囲んで形成される、または（及び）前記溝構造が、前記板押さえモジュールの被加工材接触側に、前記第２ダイキャビティを囲んで形成されることを特徴とする、ファインブランキング装置。
【請求項３】
前記溝構造が前記母型モジュール上に形成されたことを特徴とする、請求項１または２に記載のファインブランキング装置。
【請求項４】
前記溝構造が前記板押さえモジュール上に形成されたことを特徴とする、請求項１または２に記載のファインブランキング装置。
【請求項５】
前記溝構造が前記母型モジュールと前記板押さえモジュール上にそれぞれ形成されたことを特徴とする、請求項１または２に記載のファインブランキング装置。
【請求項６】
さらにＶ型リングを含み、前記Ｖ型リングが、前記板押さえモジュールまたは前記母型モジュール上に、前記溝構造に相対して配置され、そのうち、前記Ｖ型リングが前記母型モジュールの被加工材接触側に、前記第１ダイキャビティを囲んで配置される、または、前記Ｖ型リングが前記板押さえモジュールの被加工材接触側に、前記第２ダイキャビティを囲んで配置されることを特徴とする、請求項１または２に記載のファインブランキング装置。
【請求項７】
被加工材溝部を含み、前記被加工材溝部が、前記被加工材の上側または下側に、前記溝構造に相対して形成され、前記被加工材溝部によって囲まれたエリアに前記パンチを通過させることができ、そのうち、前記被加工材溝部に液圧を加えることができることを特徴とする、請求項１または２に記載のファインブランキング装置。
【請求項８】
密封手段を含み、前記密封手段が、前記被加工材と前記母型モジュールの間、及び／または、前記被加工材と前記板押さえモジュールの間に配置されることを特徴とする、請求項１または２に記載のファインブランキング装置。
【請求項９】
逆圧力を生成するための逆圧力モジュールを含み、前記逆圧力が前記被加工材の下側に作用することを特徴とする、請求項１または２に記載のファインブランキング装置。
【請求項１０】
フィラーモジュールを含み、前記フィラーモジュールが前記溝構造内に配置されることを特徴とする、請求項１または２に記載のファインブランキング装置。
【発明の詳細な説明】
【技術分野】
【０００１】
本発明はファインブランキング装置に関し、特に、打ち抜き製品のせん断面長さ、バリ、凹み角度（ｓｕｎｋ  ａｎｇｌｅ）、ダレ（ｒｏｌｌ−ｏｖｅｒ）を向上または改善する、ファインブランキング装置に関する。
【背景技術】
【０００２】
ブランキング加工は生産及び加工において不可欠な役割を担っており、電子製品パネル、携帯電話筐体、端子、金属歯車、板金切断、金属工具（例：レンチ、スクリュードライバー）、車両筐体、板金、車輪リム等の製造産業で広く用いられている。図１０（先行技術）に示すように、従来のブランキング装置またはシステムの構造はシンプルであり、パンチ４０、板押さえ４２、ダイ４３、被加工材８を含む。従来のブランキング装置またはシステムによる打ち抜き製品のせん断面長さは総打ち抜き厚さの約３０％〜５０％であり、これは１００％のせん断面長さを要求する製品には許容されない。この問題に対応するため、Ｆｒｉｔｚ  Ｓｃｈｉｅｓｓ（ドイツ特許第３７１００４号、１９２２年出願）によってファインブランキング装置が発明され、今日まで使用されている。図１１（先行技術）に示すように、従来のブランキング用ダイと比較して、ファインブランキング用ダイは板押さえ５２（「上型」）上に配置されたＶ型リング５２ｂを備えている。図１１に示す従来のファインブランキング装置はパンチ５０、ダイ５３（「下型」または「母型」）、イジェクタチャンバ５４も含む。前記Ｖ型リングは被加工材の両面のパンチまたは母型の切断部周辺エリアで静水圧を高めることで破断帯を減少するために用いられる。従来のファインブランキング加工は破断帯を減少できる（せん断面長さの約８０％〜９０％）が、残りの１０〜２０％の破断帯で生じる凹み角度（ｓｕｎｋ  ａｎｇｌｅ）とダレ（ｒｏｌｌ−ｏｖｅｒ）が打ち抜き製品の品質に大きな影響を与える。さらに、従来のファインブランキングで使用されるＶ型リングがファインブランキング加工中に製品に刺さり、逸れにより多くの問題が発生する。例えば、（１）円形以外の複雑な形状のリングは製造が難しいため、従来のファインブランキングは複雑な形状の製品のブランキングには適用できない。（２）保守の難しさ：数千回のブランキング後の圧力集中により発生するＶ型リングの破断は修理が必要であり、保守コストが高くなる。（３）大きな面積を持つ被加工材のブランキングは、円形Ｖ型リングでも製造と保守が難しく、Ｖ型リングは本質的にその楔形の形状のため被加工材に深く圧迫することができず、従来のファインブランキングはより厚みのある被加工材（例えば、厚さ１０ｍｍを超えるもの）には適用できないため、従来のファインブランキングの応用は大きく制限される。
【０００３】
高精密度３ローブポンプとサイクロイド歯車、及び一般的に使用されるより厚い平歯車を例とすると、これらの製品は従来のファインブランキングを使用して製造することはできない。図１２（先行技術）に示す先行技術（Ｉｎｔ． Ｊ． Ａｄｖ． Ｍａｎｕｆ． Ｔｅｃｈｎｏｌ． （２０１３  ６８：２７６１〜２７６９））は被加工材８上にＶ型キャビティ８ａを形成し、板押さえ６２の液圧ランナー６２ａを介して液圧を加えることで、従来のファインブランキングを改善しようとしている。図１２のファインブランキングシステムはまたパンチ６０、逆圧力チャンバ６６、液圧ランナー６６ａ、母型モジュール６４を含む。密封手段１５が被加工材８と板押さえ６２間に配置される。密封手段１５は被加工材８と母型モジュール６４の間にも配置される。Ｖ型キャビティ８ａに加えられる液圧を利用してＶ型リングを置き換えることで、圧力の制御を可能にしている。この先行技術は、ダイの製造と保守コストの削減、より厚い複雑な製品への適用可能性など、いくつかの面で従来のファインブランキングを改善しているが、Ｖ型キャビティ８ａによって被加工材８を板押さえ６２で拘束することが難しくなる。このため、凹み角度とダレの問題が残る。
【０００４】
前述を踏まえ、この産業においては、コストの増加がなく、より厚い、またはより大きい、複雑な形状の被加工材に適用でき、同時に凹み角度とダレの問題を減少できる、ファインブランキング装置の開発の必要性が逼迫している。
【先行技術文献】
【特許文献】
【０００５】
【特許文献１】ドイツ特許第３７１００４号明細書（Ｆｒｉｔｚ  Ｓｃｈｉｅｓｓ、１９２２年）
【非特許文献】
【０００６】
【非特許文献１】Ｉｎｔ． Ｊ． Ａｄｖ． Ｍａｎｕｆ． Ｔｅｃｈｎｏｌ． （２０１３  ６８：２７６１〜２７６９）
【発明の概要】
【発明が解決しようとする課題】
【０００７】
したがって、本発明の目的は、溝構造の設計を特徴とし、より大きな厚み及び（または）より大きな切断面積を有する被加工材に対して１度のブランキング操作でバリ、凹み角度、ダレの問題がない、改善されたせん断面長さを有する打ち抜き製品を製造することができる、ファインブランキング装置またはシステムを提供することにある。また、本発明のファインブランキング装置はさらに、先行技術におけるＶ型リング、被加工材溝部、逆圧力モジュール及び（または）密封手段を含み、本発明のファインブランキング装置の機能をより強化することもできる。
【課題を解決するための手段】
【０００８】
本発明の被加工材をブランキングするためのファインブランキング装置は、母型モジュールと板押さえモジュールを含み、前記母型モジュールは第１ダイキャビティを備え、前記板押さえモジュールは第２ダイキャビティを備えている。前記第１ダイキャビティと前記第２ダイキャビティはそれぞれパンチをその中に進入させることができる。前記ファインブランキング装置は前記母型モジュール及び（または）前記板押さえモジュール上に溝構造が形成され、そのうち、前記溝構造は母型モジュールの被加工材接触側に、前記第１ダイキャビティを囲んで形成され、及び（または）前記溝構造は板押さえモジュールの被加工材接触側に、前記第２ダイキャビティを囲んで形成される。
【０００９】
より具体的に、本発明の提供する被加工材をブランキングするためのファインブランキング装置は、パンチと、パンチをその中に進入させることができる第１ダイキャビティを備えた母型モジュールと、パンチをその中に進入させることができる第２ダイキャビティを備えた板押さえモジュールを含み、そのうち、１つ以上の溝構造が前記母型モジュールまたは（及び）前記板押さえモジュール上に（それぞれ）形成され、そのうち、前記溝構造は、母型モジューの被加工材接触側に、第１ダイキャビティを囲んで形成され、または（及び）前記溝構造は、前記板押さえモジュールの被加工材接触側に、前記第２ダイキャビティを囲んで形成される。
【００１０】
本発明の特定の実施態様によれば、前記ファインブランキング装置はさらに、前記板押さえモジュールまたは前記母型モジュール上の前記溝構造に相対して配置されたＶ型リングを含むことができ、そのうち、前記Ｖ型リングは前記母型モジュールの被加工材接触側に、前記第１ダイキャビティを囲んで配置されるか、または前記Ｖ型リングは板押さえの被加工材接触側に、前記第２ダイキャビティを囲んで配置される。
【００１１】
本発明の特定の実施態様によれば、前記ファインブランキング装置はさらに被加工材溝部を含むことができ、前記被加工材溝部は、被加工材の上側または下側に、前記溝構造に相対して形成され、前記被加工材溝部によって囲まれたエリアに前記パンチを通過させることができ、そのうち、前記被加工材溝部には液圧を加えることができる。
【００１２】
本発明の一実施態様において、前記ファインブランキング装置はさらに、前記被加工材と前記母型モジュールの間、及び（または）前記被加工材と前記板押さえモジュールの間に配置された密封手段を含む。
【００１３】
本発明の別の一実施態様において、前記ファインブランキング装置はさらに、被加工材の下側で作用する逆圧力を形成するための逆圧力モジュールを含む。
本発明の特定の実施態様によれば、前記溝構造はさらに、その内部に配置されたフィラーモジュールを含む。
【００１４】
前述の概要及び以下の本発明の詳細な説明は、添付の図面を組み合わせるとより理解しやすくなるであろう。
【図面の簡単な説明】
【００１５】
【図１】本発明の一実施態様に基づくファインブランキング装置の立体図である。
【図１ａ】本発明の前記実施態様に基づくファインブランキング装置の立体分解図である。
【図２】本発明の別の実施態様に基づくファインブランキング装置の立体図である。
【図２ａ】本発明の前記実施態様に基づくファインブランキング装置の立体分解図である。
【図３】本発明の一実施態様に基づくファインブランキング装置の断面図である。
【図４】本発明の一実施態様に基づくファインブランキング装置の断面図である。
【図５】本発明の一実施態様に基づくファインブランキング装置の断面図である。
【図６】本発明の別の実施態様に基づくファインブランキング装置の断面図である。
【図７】本発明のさらに別の実施態様に基づくファインブランキング装置断面図である。
【図８】本発明の一実施態様に基づくファインブランキング装置の断面図である。
【図９】本発明の一実施態様に基づくファインブランキング装置の断面図である。
【図１０】従来のブランキング装置の断面図である。
【図１１】従来のファインブランキング装置の断面図である。
【図１２】別の従来のファインブランキング装置の断面図である。
【発明を実施するための形態】
【００１６】
別途定義されている場合を除き、個々で使用される技術的及び科学的用語は、本発明が属する技術分野における当業者によって一般的に理解されるものと同じ意味を持つ。 
【００１７】
ここで使用される単数形の「一」、「前記」は文中で別途明白に示されていない限り、複数形も含む。したがって、例えば、「一試料」はそのような試料の複数及び当業者によって知られる等価物を含む。
【００１８】
溝構造の設計により、本発明のファインブランキング装置は、バリ、凹み角度、ダレを生じることなくより大きな厚み及び（または）より大きな切断面積を持つ被加工材のせん断面長さを改善した打ち抜き製品の製造を達成する。
【００１９】
したがって、本発明の提供する被加工材をブランキングするためのファインブランキング装置は、母型モジュールと板押さえモジュールを含み、前記母型モジュール及び（または）前記板押さえモジュール上に形成された溝構造を特徴とする。前記母型モジュールは第１ダイキャビティが貫通して設けられ、同様に、前記板押さえモジュールは第２ダイキャビティが貫通して設けられる。前記第１ダイキャビティと第２ダイキャビティはそれぞれ内部にパンチを進入させることができる。本発明において、少なくとも上述の目的を達成するために、前記母型モジュール及び（または）前記板押さえモジュール上に溝構造が形成される。前記母型モジュール上に形成されるとき、前記溝構造は前記母型モジュールの被加工材に接触する側に、前記第１ダイキャビティを囲んで形成される。前記板押さえモジュール上に形成されるとき、前記溝構造は前記板押さえモジュールの被加工材に接触する側に、前記第２ダイキャビティを囲んで形成される。より具体的に、本発明の提供する被加工材をブランキングするためのファインブランキング装置は、パンチと、前記パンチを内部に進入させることができる第１ダイキャビティを備えた母型モジュールと、前記パンチを内部に進入させることができる第２ダイキャビティを備えた板押さえモジュールを含み、そのうち、１つ以上の溝構造が前記母型モジュールまたは（及び）前記板押さえモジュール上に（それぞれ）形成され、そのうち、前記溝構造は前記母型モジュールの被加工材接触側に、前記第１ダイキャビティを囲んで形成される、または（及び）前記溝構造は前記板押さえモジュールの被加工材接触側に、前記第２ダイキャビティを囲んで形成される。
【００２０】
当然ながら、本発明のファインブランキング装置は、Ｖ型リング、被加工材溝部、逆圧力モジュール、密封手段を含むがこれらに限らない、先行技術で既知の１つ以上のブランキング装置モジュール／要素を含んでもよい。さらに、本発明の好ましい実施態様において、前記溝構造はその内部に配置されたフィラーモジュールをさらに含む。機能的に前記溝構造は、前記被加工材の片側または両側で前記パンチまたは前記母型モジュールの切断部の周辺エリアにおいて静水圧を増加することで、少なくとも従来のファインブランキング装置で使用される前記Ｖ型リングを置き換えることができる。これによりＶ型リングの悪影響を排除でき、さらに、打ち抜き製品の品質をより向上することもできる。また本発明のファインブランキング装置は、打ち抜き製品の凹み角度及びダレを防止するために、逆圧力モジュールを組み込むことができる。前記逆圧力が液圧または空気圧である場合、前記母型モジュールの前記第１ダイキャビティは逆圧力チャンバとしても作用することができる。長いせん断面長さだけが懸念される場合、本発明のファインブランキング装置が逆圧力モジュールなしでも適切かつ正常に動作すると当業者には理解されるであろう。
【００２１】
ここで使用される「溝構造」という用語は、本発明のファインブランキング装置の母型モジュール及び（または）板押さえモジュール上に形成された溝状、凹陥状、または階段状の構造を指す。溝構造は前記母型モジュールまたは前記板押さえモジュールのいずれか、あるいは両方に形成することができる。前記母型モジュール上に形成する場合、前記溝構造は前記母型モジュールの被加工材に接触する側に、前記母型モジュールの第１ダイキャビティを囲んで形成される。前記板押さえモジュール上に形成する場合、前記溝構造は前記板押さえモジュールの被加工材に接触する側に、前記板押さえモジュールの第２ダイキャビティを囲んで形成される。ここで溝構造の形状は制限されず、当業者であれば例えばＵ型またはＶ型の溝構造など、適切な形状を容易に判断できるであろう。ここで第１ダイキャビティまたは第２ダイキャビティを囲む溝構造の囲みの形状も制限されず、当業者であれば特定の製品に適した形状を容易に判断できるであろう。好ましくは、円形または製品の形状に対応する形状とすることができる。前記溝構造は、前記母型モジュールまたは前記板押さえモジュールの被加工材接触側の辺縁に形成することができる（図１ａと図２ａ参照）。また前記溝構造は前記辺縁と第１ダイキャビティまたは第２ダイキャビティの出口間の適切な位置に形成してもよい。つまり必要とされるのは、母型モジュール及び（または）板押さえモジュールの被加工材接触側に囲むように形成された凹陥した空間である。
【００２２】
前記母型（「下型」とも呼ばれる）と前記板押さえ（「上型」とも呼ばれる）はブランキング装置に不可欠な既知のモジュール／要素である。本発明の前記「母型モジュール」は母型に相当し、本発明の前記板押さえモジュールは板押さえに相当する。
【００２３】
本発明のファインブランキング装置はさらに、溝構造内に配置されたフィラーモジュールを含むことができる。前記フィラーモジュールは液圧式、空気圧式、バネ、Ｏリング、軟質材料、硬質材料等とすることができる。フィラーモジュールは溝構造内の圧力を均一に保ち、打ち抜き製品の品質を一層向上することができる。一方、液圧または空気圧が前記母型モジュールを通じて適用される場合（例：逆圧力モジュールによって生成される液圧または空気圧）、ファインブランキング装置の特定の位置に密封手段が必要となることがある。前記密封手段は潜在的なオイル漏れを密封し、不充分な油圧によって引き起こされる可能性がある事故を防止するために用いられる。例えば、本発明で使用される密封手段には、Ｏリング、ベアリングシール、オイルシール、液圧シール、及び多様な機械的シールが含まれるが、これらに限らない。
【００２４】
図１に本発明の一実施態様に基づくファインブランキング装置の立体図を示す。図１ａに本発明の前記の実施態様に基づくファインブランキング装置の分解図を示す。
【００２５】
図２に本発明の別の実施態様に基づくファインブランキング装置の立体図を示す。図２ａに本発明の前記の実施態様に基づくファインブランキング装置の分解図を示す。
【００２６】
図１から図５にそれぞれ示されるように、本発明のファインブランキング装置は、パンチ１０、パンチガイドモジュール１１、板押さえモジュール１２、ダイ押さえ１３、母型モジュール１４を含む。前記板押さえモジュール１２には第２ダイキャビティ１２ａが貫通して設けられ、前記パンチ１０が前記第２ダイキャビティ１２ａを通過してパンチガイドモジュール１１のガイドにより被加工材８上に接触され、打ち抜きが行われる。前記母型モジュール１４は第１ダイキャビティ１４ａを備え、前記ダイ押さえ１３内に配置される。前記ファインブランキング装置はさらに、前記母型モジュール１４内に形成された逆圧力モジュール６を含むことができる（図３〜図５参照、本実施態様において逆圧力モジュール６は液圧または空気圧が加えられるランナー装置である）。前記第１ダイキャビティ１４ａは逆圧力チャンバとして作用することもでき、前記逆圧力モジュール６と組み合わせて逆圧力／イジェクタシステムを構成する。本発明によれば、前記母型モジュール１４及び（または）前記板押さえモジュール１２に溝構造７が形成される。つまり、前記溝構造７は、前記母型モジュール１４（図１と図３を参照）または前記板押さえモジュール１２（図１と図４を参照）のいずれかに形成するか、前記母型モジュール１４と前記板押さえモジュール１２の両方にそれぞれ形成する（図５参照）こともできる。さらに、前記板押さえモジュール１２が下方向に押されたとき、前記溝構造７内の圧力を均一に保つために、フィラーモジュール９を前記溝構造７内に配置してもよい。別の一実施態様において、本発明のファインブランキング装置はさらに逆圧力モジュール６及び（または）密封手段５を含むことができる。図３から図５に示すように、従来のファインブランキング装置において使用されるＶ型リングの機能は前記溝構造７によって置き換えられると見なすことができる。前記溝構造７は前記被加工材の片側または両側において、前記パンチ及び前記母型モジュールの切断部の周辺エリアで静水圧を増加し、それにより破断帯を減少することができる。前記逆圧力モジュール６、バネシステム、またはその他圧力生成システムを介して液圧により前記被加工材８の下側８２に圧力を加えることができ（図３参照）、それにより前記被加工材８の下側において前記母型モジュールの切断部の周辺エリアで静水圧を増加し、さらに凹み角度とダレを減少することができる。また、前記逆圧力モジュール６はブランキング退出／イジェクタシステムとしても作用することができる。さらに、潜在的なオイル漏れを密封し、不充分な油圧によって引き起こされる可能性がある事故を防止するために密封手段５を用いることができる。
【００２７】
図３に本発明の特定の実施態様に基づくファインブランキング装置の断面図を示す。そのうち、前記溝構造は前記母型モジュール上に形成され、前記ファインブランキング装置はさらに他の追加のモジュール／要素を含む。前記ファインブランキング装置は、板押さえモジュール１２、パンチ１０、母型モジュール１４、溝構造７を含み、さらにフィラーモジュール９、逆圧力モジュール６、密封手段５を含む。図３に示すように、ユーザーは前記パンチ１０を操作して前記板押さえモジュール１２の第２ダイキャビティ１２ａを通過させ、前記被加工材８に接触させて打ち抜きを行うことができる。ユーザーは前記パンチ１０の操作を続けて下方向に圧迫し、前記被加工材８を打ち抜き、前記被加工材８から打ち抜き製品８１が分離される。したがって、前記打ち抜き製品８１はパンチ１０の断面形状に対応するせん断切口面の形状／断面形状を備えている。前記母型モジュール１４上が彫り込まれ、溝構造７が形成される。密封手段５が前記母型モジュール１４と前記被加工材８間に配置される。前記板押さえモジュール１２が下方向に押されると、前記被加工材８が前記溝構造７内へと押し込まれ、前記母型モジュール１４の切断部と前記被加工材８間に大きな静水圧が生じる。前記被加工材８の下側８２に加えられる逆圧力の助けがあってもなくても、製品下端部の破断を大幅に減少することができる。さらに、前記溝構造７内にフィラーモジュール９を配置し、前記板押さえモジュール１２が下方向に押されたときの圧力を均一に保つことができる。
【００２８】
図４に本発明の別の実施態様の断面図を示す。そのうち、前記溝構造は前記板押さえモジュール上に形成される。前記板押さえモジュール１２が下方向に押されると、前記被加工材８が溝構造７内に押し込まれ、前記板押さえモジュール１２の切断部と前記被加工材８間に大きな静水圧が生じる。前記被加工材８の下側に加えられる逆圧力の助けがあってもなくても、前記母型モジュールの切断部付近の製品下端部の破断を大幅に減少することができる。また、逆圧力モジュール６及び（または）密封手段５を含むことができる。さらに、前記溝構造７内にフィラーモジュール９を配置し、前記板押さえモジュール１２が下方向に押されたときの圧力を均一に保つことができる。
【００２９】
図５に本発明の別の実施態様を示す。この実施態様によれば、前記ファインブランキング装置は２つの溝構造を備えている。１つは前記板押さえモジュール１２上に形成され、もう１つは前記母型モジュール１４に形成されている。これら２つの溝構造７は被加工材８の両側で高い静水圧を形成することができる。前記被加工材８の下側に加えられる逆圧力の助けがあってもなくても、製品上端部と下端部の破断を大幅に減少することができる。同様に、逆圧力モジュール６、密封手段５、及び（または）フィラーモジュール９をさらに含むことができる。前記第１ダイキャビティ１４ａは逆圧力チャンバとして作用することもでき、前記逆圧力モジュール６と組み合わせて逆圧力／イジェクタシステムを構成する。
【００３０】
本発明の特定の実施態様において、溝構造７に相対させて板押さえモジュール２２上に配置したＶ型リング２２ｂをさらに含むことができる（図６参照）。または、溝構造７に相対させて母型モジュール２４上にＶ型リング２４ｂを配置してもよい（図７参照）。当然、逆圧力モジュール６及び（または）密封手段５もこのような実施例に追加することができる。さらに、前記板押さえモジュール１２が下方向に押されたときに圧力を均一に保つために、フィラーモジュール９を溝構造７内に配置することもできる。
【００３１】
加えて、本発明の特定の実施例に基づき、溝構造７に相対させて被加工材溝部３７ａを被加工材８上に形成することができる（図８と図９参照）。図８と図９に示すように、被加工材８の上または下側に形成された被加工材溝部３７ａを備えた本発明のファインブランキング装置は、油圧入口３２ａまたは３４ａから液圧を前記被加工材溝部３７ａに加えることができる。同様に、逆圧力モジュール６、密封手段５、及び（または）フィラーモジュール９をさらに含むことができる。
【００３２】
本発明の属する技術分野において通常の知識を有する者がここで開示した実施態様の説明に基づき更なる例示の必要なく広い範囲に利用することが可能であろう。したがって、ここで開示した実施態様の説明は本発明の範囲を制限するものではなく、例示を目的とし、本発明の請求の範囲に含まれるものと理解されるべきである。
【図１】
2015089571.tif 000003
【図１ａ】
2015089571.tif 000004
【図２】
2015089571.tif 000005
【図２ａ】
2015089571.tif 000006
【図３】
2015089571.tif 000007
【図４】
2015089571.tif 000008
【図５】
2015089571.tif 000009
【図６】
2015089571.tif 000010
【図７】
2015089571.tif 000011
【図８】
2015089571.tif 000012
【図９】
2015089571.tif 000013
【図１０】
2015089571.tif 000014
【図１１】
2015089571.tif 000015
【図１２】
2015089571.tif 000016
【手続補正書】
【提出日】平成26年10月3日(2014.10.3)
【手続補正１】
【補正対象書類名】明細書
【補正対象項目名】全文
【補正方法】変更
【補正の内容】
【発明の詳細な説明】
【技術分野】
【０００１】
本発明はファインブランキング装置に関し、特に、打ち抜き製品のせん断面長さ、バリ、凹み角度（ｓｕｎｋ  ａｎｇｌｅ）、ダレ（ｒｏｌｌ−ｏｖｅｒ）を向上または改善する、ファインブランキング装置に関する。
【背景技術】
【０００２】
ブランキング加工は生産及び加工において不可欠な役割を担っており、電子製品パネル、携帯電話筐体、端子、金属歯車、板金切断、金属工具（例：レンチ、スクリュードライバー）、車両筐体、板金、車輪リム等の製造産業で広く用いられている。図１０（先行技術）に示すように、従来のブランキング装置またはシステムの構造はシンプルであり、パンチ４０、板押さえ４２、ダイ４３、被加工材８を含む。従来のブランキング装置またはシステムによる打ち抜き製品のせん断面長さは総打ち抜き厚さの約３０％〜５０％であり、これは１００％のせん断面長さを要求する製品には許容されない。この問題に対応するため、Ｆｒｉｔｚ  Ｓｃｈｉｅｓｓ（ドイツ特許第３７１００４号、１９２２年出願）によってファインブランキング装置が発明され、今日まで使用されている。図１１（先行技術）に示すように、従来のブランキング用ダイと比較して、ファインブランキング用ダイは板押さえ５２（「上型」）上に配置されたＶ型リング５２ｂを備えている。図１１に示す従来のファインブランキング装置はパンチ５０、ダイ５３（「下型」または「母型」）、イジェクタチャンバ５４も含む。前記Ｖ型リングは被加工材の両面のパンチまたは母型の切断部周辺エリアで静水圧を高めることで破断帯を減少するために用いられる。従来のファインブランキング加工は破断帯を減少できる（せん断面長さの約８０％〜９０％）が、残りの１０〜２０％の破断帯で生じる凹み角度（ｓｕｎｋ  ａｎｇｌｅ）とダレ（ｒｏｌｌ−ｏｖｅｒ）が打ち抜き製品の品質に大きな影響を与える。さらに、従来のファインブランキングで使用されるＶ型リングがファインブランキング加工中に製品に刺さり、逸れにより多くの問題が発生する。例えば、（１）円形以外の複雑な形状のリングは製造が難しいため、従来のファインブランキングは複雑な形状の製品のブランキングには適用できない。（２）保守の難しさ：数千回のブランキング後の圧力集中により発生するＶ型リングの破断は修理が必要であり、保守コストが高くなる。（３）大きな面積を持つ被加工材のブランキングは、円形Ｖ型リングでも製造と保守が難しく、Ｖ型リングは本質的にその楔形の形状のため被加工材に深く圧迫することができず、従来のファインブランキングはより厚みのある被加工材（例えば、厚さ１０ｍｍを超えるもの）には適用できないため、従来のファインブランキングの応用は大きく制限される。
【０００３】
高精密度３ローブポンプとサイクロイド歯車、及び一般的に使用されるより厚い平歯車を例とすると、これらの製品は従来のファインブランキングを使用して製造することはできない。図１２（先行技術）に示す先行技術（Ｉｎｔ． Ｊ． Ａｄｖ． Ｍａｎｕｆ． Ｔｅｃｈｎｏｌ． （２０１３  ６８：２７６１〜２７６９））は被加工材８上にＶ型キャビティ８ａを形成し、板押さえ６２の液圧ランナー６２ａを介して液圧を加えることで、従来のファインブランキングを改善しようとしている。図１２のファインブランキングシステムはまたパンチ６０、逆圧力チャンバ６６、液圧ランナー６６ａ、母型モジュール６４を含む。密封手段１５が被加工材８と板押さえ６２間に配置される。密封手段１５は被加工材８と母型モジュール６４の間にも配置される。Ｖ型キャビティ８ａに加えられる液圧を利用してＶ型リングを置き換えることで、圧力の制御を可能にしている。この先行技術は、ダイの製造と保守コストの削減、より厚い複雑な製品への適用可能性など、いくつかの面で従来のファインブランキングを改善しているが、Ｖ型キャビティ８ａによって被加工材８を板押さえ６２で拘束することが難しくなる。このため、凹み角度とダレの問題が残る。
【０００４】
前述を踏まえ、この産業においては、コストの増加がなく、より厚い、またはより大きい、複雑な形状の被加工材に適用でき、同時に凹み角度とダレの問題を減少できる、ファインブランキング装置の開発の必要性が逼迫している。
【先行技術文献】
【特許文献】
【０００５】
【特許文献１】ドイツ特許第３７１００４号明細書（Ｆｒｉｔｚ  Ｓｃｈｉｅｓｓ、１９２２年）
【非特許文献】
【０００６】
【非特許文献１】Ｉｎｔ． Ｊ． Ａｄｖ． Ｍａｎｕｆ． Ｔｅｃｈｎｏｌ． （２０１３  ６８：２７６１〜２７６９）
【発明の概要】
【発明が解決しようとする課題】
【０００７】
したがって、本発明の目的は、溝構造の設計を特徴とし、より大きな厚み及び（または）より大きな切断面積を有する被加工材に対して１度のブランキング操作でバリ、凹み角度、ダレの問題がない、改善されたせん断面長さを有する打ち抜き製品を製造することができる、ファインブランキング装置またはシステムを提供することにある。また、本発明のファインブランキング装置はさらに、先行技術におけるＶ型リング、被加工材溝部、逆圧力モジュール及び（または）密封手段を含み、本発明のファインブランキング装置の機能をより強化することもできる。
【課題を解決するための手段】
【０００８】
本発明の被加工材をブランキングするためのファインブランキング装置は、母型モジュールと板押さえモジュールを含み、前記母型モジュールは第１ダイキャビティを備え、前記板押さえモジュールは第２ダイキャビティを備えている。前記第１ダイキャビティと前記第２ダイキャビティはそれぞれパンチをその中に進入させることができる。前記ファインブランキング装置は前記母型モジュール及び（または）前記板押さえモジュール上に溝構造が形成され、そのうち、前記溝構造は母型モジュールの被加工材接触側に、前記第１ダイキャビティを囲んで形成され、及び（または）前記溝構造は板押さえモジュールの被加工材接触側に、前記第２ダイキャビティを囲んで形成される。
【０００９】
より具体的に、本発明の提供する被加工材をブランキングするためのファインブランキング装置は、パンチと、パンチをその中に進入させることができる第１ダイキャビティを備えた母型モジュールと、パンチをその中に進入させることができる第２ダイキャビティを備えた板押さえモジュールを含み、そのうち、１つ以上の溝構造が前記母型モジュールまたは（及び）前記板押さえモジュール上に（それぞれ）形成され、そのうち、前記溝構造は、母型モジューの被加工材接触側に、第１ダイキャビティを囲んで形成され、または（及び）前記溝構造は、前記板押さえモジュールの被加工材接触側に、前記第２ダイキャビティを囲んで形成される。
【００１０】
本発明の特定の実施態様によれば、前記ファインブランキング装置はさらに、前記板押さえモジュールまたは前記母型モジュール上の前記溝構造に相対して配置されたＶ型リングを含むことができ、そのうち、前記Ｖ型リングは前記母型モジュールの被加工材接触側に、前記第１ダイキャビティを囲んで配置されるか、または前記Ｖ型リングは板押さえの被加工材接触側に、前記第２ダイキャビティを囲んで配置される。
【００１１】
本発明の特定の実施態様によれば、前記ファインブランキング装置はさらに被加工材溝部を含むことができ、前記被加工材溝部は、被加工材の上側または下側に、前記溝構造に相対して形成され、前記被加工材溝部によって囲まれたエリアに前記パンチを通過させることができ、そのうち、前記被加工材溝部には液圧を加えることができる。
【００１２】
本発明の一実施態様において、前記ファインブランキング装置はさらに、前記被加工材と前記母型モジュールの間、及び（または）前記被加工材と前記板押さえモジュールの間に配置された密封手段を含む。
【００１３】
本発明の別の一実施態様において、前記ファインブランキング装置はさらに、被加工材の下側で作用する逆圧力を形成するための逆圧力モジュールを含む。
本発明の特定の実施態様によれば、前記溝構造はさらに、その内部に配置されたフィラーモジュールを含む。
【００１４】
前述の概要及び以下の本発明の詳細な説明は、添付の図面を組み合わせるとより理解しやすくなるであろう。
【図面の簡単な説明】
【００１５】
【図１】本発明の一実施態様に基づくファインブランキング装置の立体図である。
【図１ａ】本発明の前記実施態様に基づくファインブランキング装置の立体分解図である。
【図２】本発明の別の実施態様に基づくファインブランキング装置の立体図である。
【図２ａ】本発明の前記実施態様に基づくファインブランキング装置の立体分解図である。
【図３】本発明の一実施態様に基づくファインブランキング装置の断面図である。
【図４】本発明の一実施態様に基づくファインブランキング装置の断面図である。
【図５】本発明の一実施態様に基づくファインブランキング装置の断面図である。
【図６】本発明の別の実施態様に基づくファインブランキング装置の断面図である。
【図７】本発明のさらに別の実施態様に基づくファインブランキング装置断面図である。
【図８】本発明の一実施態様に基づくファインブランキング装置の断面図である。
【図９】本発明の一実施態様に基づくファインブランキング装置の断面図である。
【図１０】従来のブランキング装置の断面図である。
【図１１】従来のファインブランキング装置の断面図である。
【図１２】別の従来のファインブランキング装置の断面図である。
【発明を実施するための形態】
【００１６】
別途定義されている場合を除き、個々で使用される技術的及び科学的用語は、本発明が属する技術分野における当業者によって一般的に理解されるものと同じ意味を持つ。 
【００１７】
ここで使用される単数形の「一」、「前記」は文中で別途明白に示されていない限り、複数形も含む。したがって、例えば、「一試料」はそのような試料の複数及び当業者によって知られる等価物を含む。
【００１８】
溝構造の設計により、本発明のファインブランキング装置は、バリ、凹み角度、ダレを生じることなくより大きな厚み及び（または）より大きな切断面積を持つ被加工材のせん断面長さを改善した打ち抜き製品の製造を達成する。
【００１９】
したがって、本発明の提供する被加工材をブランキングするためのファインブランキング装置は、母型モジュールと板押さえモジュールを含み、前記母型モジュール及び（または）前記板押さえモジュール上に形成された溝構造を特徴とする。前記母型モジュールは第１ダイキャビティが貫通して設けられ、同様に、前記板押さえモジュールは第２ダイキャビティが貫通して設けられる。前記第１ダイキャビティと第２ダイキャビティはそれぞれ内部にパンチを進入させることができる。本発明において、少なくとも上述の目的を達成するために、前記母型モジュール及び（または）前記板押さえモジュール上に溝構造が形成される。前記母型モジュール上に形成されるとき、前記溝構造は前記母型モジュールの被加工材に接触する側に、前記第１ダイキャビティを囲んで形成される。前記板押さえモジュール上に形成されるとき、前記溝構造は前記板押さえモジュールの被加工材に接触する側に、前記第２ダイキャビティを囲んで形成される。より具体的に、本発明の提供する被加工材をブランキングするためのファインブランキング装置は、パンチと、前記パンチを内部に進入させることができる第１ダイキャビティを備えた母型モジュールと、前記パンチを内部に進入させることができる第２ダイキャビティを備えた板押さえモジュールを含み、そのうち、１つ以上の溝構造が前記母型モジュールまたは（及び）前記板押さえモジュール上に（それぞれ）形成され、そのうち、前記溝構造は前記母型モジュールの被加工材接触側に、前記第１ダイキャビティを囲んで形成される、または（及び）前記溝構造は前記板押さえモジュールの被加工材接触側に、前記第２ダイキャビティを囲んで形成される。
【００２０】
当然ながら、本発明のファインブランキング装置は、Ｖ型リング、被加工材溝部、逆圧力モジュール、密封手段を含むがこれらに限らない、先行技術で既知の１つ以上のブランキング装置モジュール／要素を含んでもよい。さらに、本発明の好ましい実施態様において、前記溝構造はその内部に配置されたフィラーモジュールをさらに含む。機能的に前記溝構造は、前記被加工材の片側または両側で前記パンチまたは前記母型モジュールの切断部の周辺エリアにおいて静水圧を増加することで、少なくとも従来のファインブランキング装置で使用される前記Ｖ型リングを置き換えることができる。これによりＶ型リングの悪影響を排除でき、さらに、打ち抜き製品の品質をより向上することもできる。また本発明のファインブランキング装置は、打ち抜き製品の凹み角度及びダレを防止するために、逆圧力モジュールを組み込むことができる。前記逆圧力が液圧または空気圧である場合、前記母型モジュールの前記第１ダイキャビティは逆圧力チャンバとしても作用することができる。長いせん断面長さだけが懸念される場合、本発明のファインブランキング装置が逆圧力モジュールなしでも適切かつ正常に動作すると当業者には理解されるであろう。
【００２１】
ここで使用される「溝構造」という用語は、本発明のファインブランキング装置の母型モジュール及び（または）板押さえモジュール上に形成された溝状、凹陥状、または階段状の構造を指す。溝構造は前記母型モジュールまたは前記板押さえモジュールのいずれか、あるいは両方に形成することができる。前記母型モジュール上に形成する場合、前記溝構造は前記母型モジュールの被加工材に接触する側に、前記母型モジュールの第１ダイキャビティを囲んで形成される。前記板押さえモジュール上に形成する場合、前記溝構造は前記板押さえモジュールの被加工材に接触する側に、前記板押さえモジュールの第２ダイキャビティを囲んで形成される。ここで溝構造の形状は制限されず、当業者であれば例えばＵ型またはＶ型の溝構造など、適切な形状を容易に判断できるであろう。ここで第１ダイキャビティまたは第２ダイキャビティを囲む溝構造の囲みの形状も制限されず、当業者であれば特定の製品に適した形状を容易に判断できるであろう。好ましくは、円形または製品の形状に対応する形状とすることができる。前記溝構造は、前記母型モジュールまたは前記板押さえモジュールの被加工材接触側の辺縁に形成することができる（図１ａと図２ａ参照）。また前記溝構造は前記辺縁と第１ダイキャビティまたは第２ダイキャビティの出口間の適切な位置に形成してもよい。つまり必要とされるのは、母型モジュール及び（または）板押さえモジュールの被加工材接触側に囲むように形成された凹陥した空間である。
【００２２】
前記母型（「下型」とも呼ばれる）と前記板押さえ（「上型」とも呼ばれる）はブランキング装置に不可欠な既知のモジュール／要素である。本発明の前記「母型モジュール」は母型に相当し、本発明の前記板押さえモジュールは板押さえに相当する。
【００２３】
本発明のファインブランキング装置はさらに、溝構造内に配置されたフィラーモジュールを含むことができる。前記フィラーモジュールは液圧式、空気圧式、バネ、Ｏリング、軟質材料、硬質材料等とすることができる。フィラーモジュールは溝構造内の圧力を均一に保ち、打ち抜き製品の品質を一層向上することができる。一方、液圧または空気圧が前記母型モジュールを通じて適用される場合（例：逆圧力モジュールによって生成される液圧または空気圧）、ファインブランキング装置の特定の位置に密封手段が必要となることがある。前記密封手段は潜在的なオイル漏れを密封し、不充分な油圧によって引き起こされる可能性がある事故を防止するために用いられる。例えば、本発明で使用される密封手段には、Ｏリング、ベアリングシール、オイルシール、液圧シール、及び多様な機械的シールが含まれるが、これらに限らない。
【００２４】
図１に本発明の一実施態様に基づくファインブランキング装置の立体図を示す。図１ａに本発明の前記の実施態様に基づくファインブランキング装置の分解図を示す。
【００２５】
図２に本発明の別の実施態様に基づくファインブランキング装置の立体図を示す。図２ａに本発明の前記の実施態様に基づくファインブランキング装置の分解図を示す。
【００２６】
図１から図５にそれぞれ示されるように、本発明のファインブランキング装置は、パンチ１０、パンチガイドモジュール１１、板押さえモジュール１２、ダイ押さえ１３、母型モジュール１４を含む。前記板押さえモジュール１２には第２ダイキャビティ１２ａが貫通して設けられ、前記パンチ１０が前記第２ダイキャビティ１２ａを通過してパンチガイドモジュール１１のガイドにより被加工材８上に接触され、打ち抜きが行われる。前記母型モジュール１４は第１ダイキャビティ１４ａを備え、前記ダイ押さえ１３内に配置される。前記ファインブランキング装置はさらに、前記母型モジュール１４内に形成された逆圧力モジュール６を含むことができる（図３〜図５参照、本実施態様において逆圧力モジュール６は液圧または空気圧が加えられるランナー装置である）。前記第１ダイキャビティ１４ａは逆圧力チャンバとして作用することもでき、前記逆圧力モジュール６と組み合わせて逆圧力／イジェクタシステムを構成する。本発明によれば、前記母型モジュール１４及び（または）前記板押さえモジュール１２に溝構造７が形成される。つまり、前記溝構造７は、前記母型モジュール１４（図１と図３を参照）または前記板押さえモジュール１２（図１と図４を参照）のいずれかに形成するか、前記母型モジュール１４と前記板押さえモジュール１２の両方にそれぞれ形成する（図５参照）こともできる。さらに、前記板押さえモジュール１２が下方向に押されたとき、前記溝構造７内の圧力を均一に保つために、フィラーモジュール９を前記溝構造７内に配置してもよい。別の一実施態様において、本発明のファインブランキング装置はさらに逆圧力モジュール６及び（または）密封手段５を含むことができる。図３から図５に示すように、従来のファインブランキング装置において使用されるＶ型リングの機能は前記溝構造７によって置き換えられると見なすことができる。前記溝構造７は前記被加工材の片側または両側において、前記パンチ及び前記母型モジュールの切断部の周辺エリアで静水圧を増加し、それにより破断帯を減少することができる。前記逆圧力モジュール６、バネシステム、またはその他圧力生成システムを介して液圧により前記被加工材８の下側８２に圧力を加えることができ（図３参照）、それにより前記被加工材８の下側において前記母型モジュールの切断部の周辺エリアで静水圧を増加し、さらに凹み角度とダレを減少することができる。また、前記逆圧力モジュール６はブランキング退出／イジェクタシステムとしても作用することができる。さらに、潜在的なオイル漏れを密封し、不充分な油圧によって引き起こされる可能性がある事故を防止するために密封手段５を用いることができる。
【００２７】
図３に本発明の特定の実施態様に基づくファインブランキング装置の断面図を示す。そのうち、前記溝構造は前記母型モジュール上に形成され、前記ファインブランキング装置はさらに他の追加のモジュール／要素を含む。前記ファインブランキング装置は、板押さえモジュール１２、パンチ１０、母型モジュール１４、溝構造７を含み、さらにフィラーモジュール９、逆圧力モジュール６、密封手段５を含む。図３に示すように、ユーザーは前記パンチ１０を操作して前記板押さえモジュール１２の第２ダイキャビティ１２ａを通過させ、前記被加工材８に接触させて打ち抜きを行うことができる。ユーザーは前記パンチ１０の操作を続けて下方向に圧迫し、前記被加工材８を打ち抜き、前記被加工材８から打ち抜き製品８１が分離される。したがって、前記打ち抜き製品８１はパンチ１０の断面形状に対応するせん断切口面の形状／断面形状を備えている。前記母型モジュール１４上が彫り込まれ、溝構造７が形成される。密封手段５が前記母型モジュール１４と前記被加工材８間に配置される。前記板押さえモジュール１２が下方向に押されると、前記被加工材８が前記溝構造７内へと押し込まれ、前記母型モジュール１４の切断部と前記被加工材８間に大きな静水圧が生じる。前記被加工材８の下側８２に加えられる逆圧力の助けがあってもなくても、製品下端部の破断を大幅に減少することができる。さらに、前記溝構造７内にフィラーモジュール９を配置し、前記板押さえモジュール１２が下方向に押されたときの圧力を均一に保つことができる。
【００２８】
図４に本発明の別の実施態様の断面図を示す。そのうち、前記溝構造は前記板押さえモジュール上に形成される。前記板押さえモジュール１２が下方向に押されると、前記被加工材８が溝構造７内に押し込まれ、前記板押さえモジュール１２の切断部と前記被加工材８間に大きな静水圧が生じる。前記被加工材８の下側に加えられる逆圧力の助けがあってもなくても、前記母型モジュールの切断部付近の製品下端部の破断を大幅に減少することができる。また、逆圧力モジュール６及び（または）密封手段５を含むことができる。さらに、前記溝構造７内にフィラーモジュール９を配置し、前記板押さえモジュール１２が下方向に押されたときの圧力を均一に保つことができる。
【００２９】
図５に本発明の別の実施態様を示す。この実施態様によれば、前記ファインブランキング装置は２つの溝構造を備えている。１つは前記板押さえモジュール１２上に形成され、もう１つは前記母型モジュール１４に形成されている。これら２つの溝構造７は被加工材８の両側で高い静水圧を形成することができる。前記被加工材８の下側に加えられる逆圧力の助けがあってもなくても、製品上端部と下端部の破断を大幅に減少することができる。同様に、逆圧力モジュール６、密封手段５、及び（または）フィラーモジュール９をさらに含むことができる。前記第１ダイキャビティ１４ａは逆圧力チャンバとして作用することもでき、前記逆圧力モジュール６と組み合わせて逆圧力／イジェクタシステムを構成する。
【００３０】
本発明の特定の実施態様において、溝構造７に相対させて板押さえモジュール２２上に配置したＶ型リング２２ｂをさらに含むことができる（図６参照）。または、溝構造７に相対させて母型モジュール２４上にＶ型リング２４ｂを配置してもよい（図７参照）。当然、逆圧力モジュール６及び（または）密封手段５もこのような実施例に追加することができる。さらに、前記板押さえモジュール１２が下方向に押されたときに圧力を均一に保つために、フィラーモジュール９を溝構造７内に配置することもできる。
【００３１】
加えて、本発明の特定の実施例に基づき、溝構造７に相対させて被加工材溝部３７ａを被加工材８上に形成することができる（図８と図９参照）。図８と図９に示すように、被加工材８の上または下側に形成された被加工材溝部３７ａを備えた本発明のファインブランキング装置は、油圧入口３２ａまたは３４ａから液圧を前記被加工材溝部３７ａに加えることができる。同様に、逆圧力モジュール６、密封手段５、及び（または）フィラーモジュール９をさらに含むことができる。
【００３２】
本発明の属する技術分野において通常の知識を有する者がここで開示した実施態様の説明に基づき更なる例示の必要なく広い範囲に利用することが可能であろう。したがって、ここで開示した実施態様の説明は本発明の範囲を制限するものではなく、例示を目的とし、本発明の請求の範囲に含まれるものと理解されるべきである。
【符号の説明】
【００３３】
１０      パンチ
１１      パンチガイドモジュール
１２      板押さえモジュール
１２ａ    第２ダイキャビティ
１３      ダイ押さえ
１４      母型モジュール
１４ａ    第１ダイキャビティ
２２      板押さえモジュール
２２ｂ    Ｖ型リング
２４      母型モジュール
２４ｂ    Ｖ型リング
３２ａ、３４ａ    油圧入口
３７ａ    被加工材溝部
５        密封手段
６        逆圧力モジュール
７        溝構造
８        被加工材
８１      打ち抜き製品
８２      下側
９        フィラーモジュール
４０      パンチ
４２      板押さえ
４３      ダイ
５０      パンチ
５２      板押さえ
５２ｂ    Ｖ型リング
５３      ダイ
５４      イジェクタチャンバ
８ａ      Ｖ型キャビティ
６０      パンチ
６２      板押さえ
６２ａ    液圧ランナー
６６      逆圧力チャンバ
６６ａ    液圧ランナー
６４      母型モジュール
１５      密封手段
【手続補正書】
【提出日】平成26年10月22日(2014.10.22)
【手続補正２】
【補正対象書類名】手続補正書
【補正対象項目名】手続補正２
【補正方法】削除
【補正の内容】
【外国語明細書】
2015089571000001.pdf
2015089571000002.pdf
2015089571000003.pdf
2015089571000004.pdf